(57)【要約】【課題】本発明は、レゾルバに一体に設けられ、複数の端子を有するコネクタハウジング内に水が入らないようにする防水構造を得ることである。【解決手段】本発明による防水コネクタは、レゾルバ（２）の輪状絶縁カバー（３）と一体成形され、複数の端子（４）を有するコネクタハウジング（４Ａ）と、前記コネクタハウジング（４Ａ）の一方側（５）に形成され、前記端子（４）が位置する開口部（６）と、前記コネクタハウジング（４Ａ）の外面（８ａ）の一部に形成され開口方向（Ｂ）が前記コネクタハウジング（４Ａ）の軸方向（Ａ）と直交する外面開口（８）と、前記外面開口（８）内に充填された樹脂（１０）と、からなり、前記端子（４）は、前記底部（２１）、外面開口（８）及び端壁（２０）を貫通し、前記樹脂（１０）は、前記外面開口（８）から前記端子（４）に対して充填できる構成である。【選択図】図１
2020119846.tif 000002
【特許請求の範囲】
【請求項１】
レゾルバ（２）の輪状絶縁カバー（３）と一体成形され、複数の端子（４）を有するコネクタハウジング（４Ａ）と、前記コネクタハウジング（４Ａ）の一方側（５）に形成され、前記端子（４）が位置する開口部（６）と、前記コネクタハウジング（４Ａ）の外面（８ａ）の一部に形成され開口方向（Ｂ）が前記コネクタハウジング（４Ａ）の軸方向（Ａ）と直交する外面開口（８）と、前記外面開口（８）内に充填された樹脂（１０）と、からなり、
前記端子（４）は、前記底部（２１）、外面開口（８）及び端壁（２０）を貫通し、
前記樹脂（１０）は、前記外面開口（８）から、前記端子（４）に対して充填できる構成としたことを特徴とする防水コネクタ。
【請求項２】
前記外面開口（８）は、前記開口部（６）と前記コネクタハウジング（４Ａ）の端壁（２０）との間に位置している構成としたことを特徴とする請求項１記載の防水コネクタ。
【請求項３】
前記コネクタハウジング（４Ａ）には、レゾルバ（２）の輪状絶縁カバー（３）が一体成形されていることを特徴とする請求項１又は２記載の防水コネクタ。
【請求項４】
前記外面開口（８）に充填した前記樹脂（１０）は、前記コネクタハウジング（４Ａ）と前記端子（４）の周面（４ｅ）との間の隙間（４Ｇ）に侵入し、前記樹脂（１０）による前記隙間（４Ｇ）の充填が行われる構成としたことを特徴とする請求項１ないし３の何れか１項に記載の防水コネクタ。
【発明の詳細な説明】
【技術分野】
【０００１】
本発明は、防水コネクタに関し、特に、レゾルバステータの向きを一定とした状態で防水コネクタの封止を行うための新規な改良に関する。
【背景技術】
【０００２】
従来、用いられていたこの種のレゾルバコネクタの防水構造としては、例えば、特許文献１の図２の構成を後述の図４及び、図５の社内品として挙げることができる。
すなわち、図４において符号２で示されるものは、周知のレゾルバであり、前記レゾルバ２の輪状絶縁カバー３の一部が成形時に膨出されて膨出部３Ａが形成されている。
【０００３】
前記膨出部３Ａ内には、前記レゾルバ２のステータ巻線（図示せず）に接続された複数の端子４がインサート成形され、これらの各端子４の先端部４ａは前記膨出部３Ａの前端に取り付けられた先端筒部５Ａ内に延出されている。
前記先端筒部５Ａと端子４の先端部４ａとによって、開口６ａが形成されている。
【０００４】
従って、前述の図４のレゾルバのコネクタ構造は、以上のように構成されているためレゾルバ２よりも肉厚の開口部を有し、開口部６Ａを強化した構造とすることが、当時としては、できていた。
【０００５】
また、図５の従来例では、有底の内孔７Ａを有する樹脂成形からなるコネクタハウジング４Ａを示しており、前記内孔７Ａは、前記コネクタハウジング４Ａの軸中心に沿って形成されている。
また、前記内孔７Ａの一端に形成された有底部９には、前記端子４の一部である先端子一部４ｂが貫通して延設されている。
【０００６】
前記内孔７Ａ内には、例えば、ポッティング材等の樹脂１０が充填され、この樹脂１０によって、前記端子４と前記コネクタハウジング４Ａは密合させているが、このコネクタハウジング４Ａを水平から垂直にして前記樹脂１０を前記内孔７Ａの入口７ａからしか充填を行うことが不可能であった。
【先行技術文献】
【特許文献】
【０００７】
【特許文献１】特開２０１４−９２４８３号公報
【発明の概要】
【発明が解決しようとする課題】
【０００８】
従来のレゾルバのコネクタの防水構造は、以上のように構成されていたため、次のような課題が存在していた。
すなわち、図４で示されている第１従来構成の場合、開口部６のように、コネクタハウジングと端子界面のリーク防止のため、開口部６の開口６ａから封止用の樹脂等の液体を充填しなければならず、そのためには、レゾルバ２を９０度回転させ、コネクタハウジング４Ａを立設させて作業を行う必要があり、レゾルバ製造工程において、生産性の阻害要因となっていた。
【０００９】
また、図５に示される通常のレゾルバの輪状絶縁カバー（図示せず）の一部に、コネクタハウジング４Ａを同一水平面上に一体成形するため、この状態で、内孔７Ａの入口７ａから横方向に液体状の樹脂１０を供給すると、この樹脂を内孔７Ａの隙間４Ｇの奥まで供給することが大変難しく、そのために、製造の最終工程で、コネクタハウジングとレゾルバを垂直に立設した後、液体の樹脂１０を空洞７内に充填しなければならなかった。
そのため、前述の従来例と同様の課題が発生していた。
【００１０】
本発明は、以上のような課題を解決するためになされたもので、特に、レゾルバステータの姿勢を水平状態のままの状態で防水コネクタの封止を行うことを目的とする。
【課題を解決するための手段】
【００１１】
本発明による防水コネクタは、レゾルバの輪状絶縁カバーと一体成形され、複数の端子を有するコネクタハウジングと、前記コネクタハウジングの一方側に形成され、前記端子が位置する開口部と、前記コネクタハウジングの外面の一部に形成され開口方向が前記コネクタハウジングの軸方向と直交する外面開口と、前記外面開口内に充填された樹脂と、からなり、前記端子は、前記底部、外面開口及び端壁を貫通し、前記樹脂は、前記外面開口から前記端子に対して充填できる構成であり、また、前記外面開口は、前記開口部と前記コネクタハウジングの端壁との間に位置している構成であり、また、前記コネクタハウジングには、レゾルバの輪状絶縁カバーが一体成形されている構成であり、また、前記外面開口内に充填した前記樹脂は、前記コネクタハウジングと前記端子の周面との間の隙間に侵入し、前記樹脂による前記隙間の充填が行われる構成である。
【発明の効果】
【００１２】
本発明による防水コネクタは、以上のように構成されているため、次のような効果を得ることができる。
すなわち、レゾルバの輪状絶縁カバーと一体成形され、複数の端子を有するコネクタハウジングと、前記コネクタハウジングの一方側に形成され、前記端子が位置する開口部と、前記コネクタハウジングの外面の一部に形成され開口方向が前記コネクタハウジングの軸後方と直交する外面開口と、前記外面開口内に充填された樹脂と、からなり、前記端子は、前記底部、外面開口及び端壁を貫通し、前記樹脂は、前記外面開口から前記端子に対して充填できる構成としたことにより、図１のようにコネクタハウジングをレゾルバと同じ水平又は横置きの状態で、液体状の樹脂を供給して固まらせることができ、製造工程の簡素化及び生産性の向上を得ることができる。
また、前記外面開口は、前記開口部と前記コネクタハウジングの端壁との間に位置している構成としたことにより、上向きに開口した外面開口から液体の樹脂を充填することにより、極めて簡単に端子の防水を行うことができる。
また、前記コネクタハウジングには、レゾルバの輪状絶縁カバーが一体成形されていることにより、周知の端子ピン保持部と同様のレゾルバにも適用できる。
また、前記外面開口内に充填した前記樹脂は、前記コネクタハウジングと前記端子の周面との間の隙間に侵入し、前記樹脂による前記隙間の充填が行われる構成としたことにより、上方からの作業のみで、樹脂の充填が可能となる。
【図面の簡単な説明】
【００１３】
【図１】本発明による防水コネクタの構成を示す断面図である。
【図２】図１の平面図である。
【図３】図１の要部のみを示す斜視図である。
【図４】従来の防水コネクタの全体構成を示す断面図である。
【図５】図４とは異なる他の従来例を示す断面図である。
【発明を実施するための形態】
【００１４】
本発明による防水コネクタは、コネクタハウジングの一方側に形成され、前記端子が位置する開口部と、前記コネクタハウジングの外面の一部に形成され、前記コネクタハウジングの一部を除去したような形状からなる外面開口と、前記外面開口を形成すると共に前記端子の一部が貫通する端壁と、からなり、レゾルバステータと同じ水平状態で外面開口に液状の樹脂を充填して前記端子部分からコネクタハウジング内への防水を行うことである。
【実施例】
【００１５】
以下、図面と共に本発明による防水コネクタの好適な実施の形態について説明する。
尚、従来例と同一又は同等部分については、同一符号を用いて説明する。
図１において符号１で示されるものは全体形状が有底筒形をなすと共に、周知のレゾルバ２の輪状絶縁カバー３と一体に端子４及び輪状ステータ（図示せず）を内蔵する状態でインサート成形された防水コネクタ構造である。
【００１６】
図１は、前述のようにインサート成形されたコネクタハウジング４Ａの断面図を示しており、前記コネクタハウジング４Ａの一方側５には有底筒形の開口部６が形成されている。
前記コネクタハウジング４Ａの前記一方側５に対して反対側に位置する他方側７には、前記コネクタハウジング４Ａの外面８ａ（丸と角状を含む）の一部を切削等で切欠いたような形状をなすと共に外気に開放された外面開口８が形成されている。
【００１７】
前記外面開口８は、長手の軸方向Ａに沿う幅Ｗと開口方向Ｂに沿う深さＤを有する半円状（又は角状）をなし、前記外面開口８の隣りには、この外面開口８の一部を形成するための前記コネクタハウジング４Ａの端壁２０が形成されている。
前記開口部６内に設けられた端子４は、インサート成形後、前記コネクタハウジング４Ａの底部２１を貫通し、前記端壁２０を貫通して、その先端一部４ｂは軸方向Ａに沿って、外部であるレゾルバ２の内部に延設される。
前述の状態では、前記端子４が、前記底部２１、外面開口８及び端壁２０を貫通している。
【００１８】
次に、前述の状態で、前記レゾルバ２に接続された前記コネクタハウジング４Ａは、水平状態で、図示しない組立台上で組立位置に送られるが、作業者の前にコネクタハウジング４Ａが到達した時に、作業者は、前記外面開口８から液体状の樹脂１０を上方よりゆっくりと流し込むと、やがて固化し、図１の状態で前記端子先端４ａが外面開口８で固化される。
【００１９】
前記樹脂１０は固化される際に、前記底部２１と前記端壁２０と前記端子４の周面４ｅとの間に発生しているわずかな隙間４Ｇ内に、毛細管現象と同様の作用で侵入した後に固化される。
従って、端子４は、図１で分るように、１本のみではなく、図２のように、複数の場合が多く、前記外面開口８からみると、樹脂１０と端子４とが交互に並設されていることが明らかである。
【００２０】
以上の本発明による防水コネクタによれば、レゾルバ２が水中もしくは水が多くかかる位置で使用されたとしても、外部からの水は、図１のように、前記底部２１と端子４、及び、前記端壁２０と端子４との間は完全に密閉され、レゾルバ２が水中で作動している状態であっても、水が前記コネクタハウジング４の開口部６側に到達して、レゾルバ等の機能が失われることはない。
また、前記外面開口８は、図３の斜視図に示されるような形状をなしている。
【産業上の利用可能性】
【００２１】
本発明による防水コネクタは、レゾルバに接続されたコネクタハウジングの他方側に外面開口８が形成されているため、組立てる場合と同じ姿勢で液状の樹脂をこの外面開口から供給することができ、防水作業が極めて容易となる。
【符号の説明】
【００２２】
２  レゾルバ
３  輪状絶縁カバー
４  端子
４Ａ  コネクタハウジング
４ａ  端子先端
４ｂ  先端一部
４ｅ  周面
４Ｇ  隙間
５  一方側
６  開口部
７  他方側
８  外面開口
８ａ  外面
１０  樹脂
２０  端壁
２１  底部
Ａ  軸方向
Ｂ  開口方向
Ｄ  深さ
Ｗ  幅
【図１】
2020119846.tif 000003
【図２】
2020119846.tif 000004
【図３】
2020119846.tif 000005
【図４】
2020119846.tif 000006
【図５】
2020119846.tif 000007